(57)【要約】      （修正有）【課題】遊技台の特賞中にカード発行操作が行われた場合であっても、遊技客にシンプルなカード運用を行わせる。【解決手段】計数部１４が、自装置に対応する遊技台で遊技者が獲得した遊技媒体を計数し、記憶部１６が、計数部１４による計数値を持ち玉価値として記憶し、記憶部１６に記憶された持ち玉価値を記録媒体へ関連付ける持ち玉価値関連付部１５ｂを備えることとしたうえで、遊技中判定部が、遊技台が遊技中であるか否かを判定し、遊技中判定部１５ｅによって遊技中であると判定された場合には、関連付禁止部１５ｃが、持ち玉価値関連付部１５ｂによる記録媒体への持ち玉価値の関連付けを禁止するように台間装置を構成する。【選択図】図４
2010082359.tif 000002
【特許請求の範囲】
【請求項１】
遊技台に対応して設けられる各台対応装置であって、
自装置に対応する遊技台で遊技者が獲得した遊技媒体を計数する計数手段と、
前記計数手段による計数値を持ち玉価値として記憶する記憶手段と、
前記記憶手段に記憶された前記持ち玉価値を記録媒体へ関連付ける関連付手段と、
前記遊技台が遊技中であるか否かを判定する遊技中判定手段と、
前記遊技中判定手段が遊技中であると判定した場合には、前記関連付手段による前記記録媒体への前記持ち玉価値の関連付けを禁止する関連付禁止手段と
を備えたことを特徴とする各台対応装置。
【請求項２】
前記遊技中判定手段が遊技中であると判定した場合には、前記記録媒体の発行指示を受けても前記記録媒体を発行しない発行手段
をさらに備えたことを特徴とする請求項１に記載の各台対応装置。
【請求項３】
前記記録媒体に価値付けられたプリペイド価値を更新する更新手段と、
前記遊技中判定手段が遊技中であると判定した場合には、前記記録媒体の発行指示を受けたならば前記更新手段によって前記プリペイド価値が更新された前記遊技媒体を発行する発行手段と
をさらに備えたことを特徴とする請求項１に記載の各台対応装置。
【請求項４】
前記遊技中判定手段は、
前記計数手段が計数開始してから所定時間以内に次の遊技媒体を計数しない場合を計数完了としたうえで、前記計数開始から前記計数完了までの期間を遊技中であると判定することを特徴とする請求項１、２または３に記載の各台対応装置。
【請求項５】
前記遊技中判定手段は、
特賞中であることを示す特賞信号を前記遊技台から受信している期間を遊技中であると判定することを特徴とする請求項１、２または３に記載の各台対応装置。
【発明の詳細な説明】
【技術分野】
【０００１】
この発明は、遊技台に対応して設けられる各台対応装置に関し、特に、遊技台の特賞中にカード発行操作が行われた場合であっても、遊技客にシンプルなカード運用を行わせることができる各台対応装置に関するものである。
【背景技術】
【０００２】
従来から、パチンコ店などの遊技店に設置されるパチンコ機やパチスロ機といった遊技機と並設され、紙幣や硬貨といった貨幣を受け付けてパチンコ玉やメダルといった遊技媒体を貸し出す貸出処理機（以下、「台間装置」と記載する）が知られている。また、遊技機において遊技者が獲得した遊技媒体の数量を各台間装置と接続された計数部が計数する、いわゆる各台計数方式も知られてきた（たとえば、特許文献１参照）。
【０００３】
かかる各台計数方式に対応した台間装置では、計数部に投入された遊技媒体の数量（以下、「計数値」と記載する）を計数し、ＩＣ（Integrated  Circuit）カードなどの情報記憶が可能なカードに対して計数値を関連付ける。このように、各台計数方式に対応した台間装置は、遊技者が獲得した遊技媒体の数量を計数値として管理するので、遊技者は、自身が獲得した持ち玉を払い出して遊技することができる。
【０００４】
また、上記した各台計数方式とプリペイドカード方式とを併用した場合、カードには、プリペイド価値をあらかじめ価値付けることもできる。たとえば、遊技客は、１万円のプリペイド価値が価値付けられたカードを購入し、購入したカードを台間装置に挿入して遊技媒体の貸し出しを受け、遊技を開始する。
【０００５】
そして、遊技客が遊技台で持ち玉を獲得したうえで遊技を終了し、カード発行操作を行った場合には、発行されるカードには、プリペイド残額と持ち玉価値（各台計数による計数値）とが関連付けられる。
【０００６】
【特許文献１】特開２００７−２２９１１１号公報
【発明の開示】
【発明が解決しようとする課題】
【０００７】
しかしながら、上記した従来技術では、遊技台が特賞中（大当たり中）に、カード発行操作を行った場合、計数途中の持ち玉価値とプリペイド残額とが関連付けられたカードが発行される。そして、遊技客が遊技を終了してカード発行操作を行った場合、最初のカードに関連付けらなかった持ち玉価値（残りの持ち玉価値）が関連付けられたカードが発行される。
【０００８】
たとえば、プリペイド残額が８０００円となったところで、遊技台が特賞中となり、持ち玉が５０玉となったところで最初のカード発行操作を行うと、発行されるカードには、プリペイド価値として８０００円と、持ち玉価値として５０玉とが関連付けられる。そして、最初のカード発行操作後に、さらに持ち玉が５０００玉追加されたとすると、遊技終了時のカード発行操作で、持ち玉価値として５０００玉が関連付けられたカードが発行される。
【０００９】
このように、遊技台の特賞中にカード発行操作を行うと、持ち玉価値が複数のカードに分割されて価値付けられてしまう。このため、景品交換で景品交換の対象とならない端玉がそれぞれのカードに価値付けられる機会が増え、遊技客にとって不利益が生じるという問題がある。
【００１０】
また、１枚目のカードにプリペイド価値および持ち玉価値が関連付けられ、２枚目のカードに持ち玉価値のみが関連付けられた場合、１枚目のカードについては、精算機でプリペイド価値を現金化する必要がある。また、１枚目のカードと２枚目のカードとに分割された持ち玉価値については、他の遊技台で再遊技するか、景品交換カウンタに持ち込んで景品交換を行うことになる。
【００１１】
このように、複数のカードに持ち玉価値が分割されると、遊技客にとって、カードの取扱いが複雑化してしまい、シンプルなカード運用を行うことができなくなるという問題もある。
【００１２】
これらのことから、遊技台の特賞中にカード発行操作が行われた場合であっても、遊技客にシンプルなカード運用を行わせることができる各台対応装置（たとえば、計数機能付きの台間装置）をいかにして実現するかが大きな課題となっている。
【００１３】
この発明は、上述した従来技術による問題点を解消するためになされたものであって、遊技台の特賞中にカード発行操作が行われた場合であっても、遊技客にシンプルなカード運用を行わせることができる各台対応装置を提供することを目的とする。
【課題を解決するための手段】
【００１４】
上述した課題を解決し、目的を達成するため、本発明は、遊技台に対応して設けられる各台対応装置であって、自装置に対応する遊技台で遊技者が獲得した遊技媒体を計数する計数手段と、前記計数手段による計数値を持ち玉価値として記憶する記憶手段と、前記記憶手段に記憶された前記持ち玉価値を記録媒体へ関連付ける関連付手段と、前記遊技台が遊技中であるか否かを判定する遊技中判定手段と、前記遊技中判定手段が遊技中であると判定した場合には、前記関連付手段による前記記録媒体への前記持ち玉価値の関連付けを禁止する関連付禁止手段とを備えたことを特徴とする。
【００１５】
また、本発明は、上記の発明において、前記遊技中判定手段が遊技中であると判定した場合には、前記記録媒体の発行指示を受けても前記記録媒体を発行しない発行手段をさらに備えたことを特徴とする。
【００１６】
また、本発明は、上記の発明において、前記記録媒体に価値付けられたプリペイド価値を更新する更新手段と、前記遊技中判定手段が遊技中であると判定した場合には、前記記録媒体の発行指示を受けたならば前記更新手段によって前記プリペイド価値が更新された前記遊技媒体を発行する発行手段とをさらに備えたことを特徴とする。
【００１７】
また、本発明は、上記の発明において、前記遊技中判定手段は、前記計数手段が計数開始してから所定時間以内に次の遊技媒体を計数しない場合を計数完了としたうえで、前記計数開始から前記計数完了までの期間を遊技中であると判定することを特徴とする。
【００１８】
また、本発明は、上記の発明において、前記遊技中判定手段は、特賞中であることを示す特賞信号を前記遊技台から受信している期間を遊技中であると判定することを特徴とする。
【発明の効果】
【００１９】
本発明によれば、自装置に対応する遊技台で遊技者が獲得した遊技媒体を計数する計数手段と、計数手段による計数値を持ち玉価値として記憶する記憶手段と、記憶手段に記憶された持ち玉価値を記録媒体へ関連付ける関連付手段と、遊技台が遊技中であるか否かを判定する遊技中判定手段と、遊技中判定手段が遊技中であると判定した場合には、関連付手段による記録媒体への持ち玉価値の関連付けを禁止する関連付禁止手段とを備えることとしたので、遊技台の特賞中にカード発行操作が行われた場合であっても、持ち玉価値が複数のカードへ分割されることがない。したがって、遊技台の特賞中にカード発行操作が行われた場合であっても、遊技客にシンプルなカード運用を行わせることができることができるという効果を奏する。
【００２０】
また、本発明によれば、遊技中判定手段が遊技中であると判定した場合には、記録媒体の発行指示を受けても記録媒体を発行しない発行手段をさらに備えることとしたので、持ち玉価値の複数カードへの分割を防止することができるという効果を奏する。
【００２１】
また、本発明によれば、記録媒体に価値付けられたプリペイド価値を更新する更新手段と、遊技中判定手段が遊技中であると判定した場合には、記録媒体の発行指示を受けたならば更新手段によってプリペイド価値が更新された遊技媒体を発行する発行手段とをさらに備えることとしたので、遊技中には、プリペイド価値のみが関連付けられたカードを発行することで、遊技客にシンプルなカード運用を行わせることができるという効果を奏する。
【００２２】
また、本発明によれば、遊技中判定手段は、計数手段が計数開始してから所定時間以内に次の遊技媒体を計数しない場合を計数完了としたうえで、計数開始から計数完了までの期間を遊技中であると判定することとしたので、計数部からの計数情報に応じて遊技台が遊技中であるか否かを判定することで、遊技中であるか否かの判定を効率的に行うことができるという効果を奏する。
【００２３】
また、本発明によれば、遊技中判定手段は、特賞中であることを示す特賞信号を遊技台から受信している期間を遊技中であると判定することとしたので、遊技台からの特賞信号に応じて遊技台が遊技中であるか否かを判定することで、遊技中であるか否かの判定を確実に行うことができるという効果を奏する。
【発明を実施するための最良の形態】
【００２４】
以下に添付図面を参照して、本発明に係る各台対応装置の実施例を詳細に説明する。なお、以下の説明では、パチンコ店などの遊技店に設置されるパチンコ機やパチスロ機といった遊技機と併設された計数機能付き台間装置（以下、単に「台間装置」と記載する）が、カード発行処理を実行する場合について説明する。
【００２５】
まず、実施例の詳細な説明に先立って、本発明に係るカード手法の概要について図１および図２を用いて説明する。図１は、本発明に係るカード発行手法の概要その１を示す図である。
【００２６】
図１に示すように、台間装置１０は、遊技台が特賞中であることを示す特賞信号（同図の（１Ａ）参照）または台間装置１０の計数部が遊技媒体を計数中であるか否かを示す情報（同図の（１Ｂ）参照）を遊技台から受け取るものとする。
【００２７】
このように、遊技台が特賞中である場合に、遊技客が台間装置１０の操作ボタンを押下するなどしてカード発行操作を行うと（同図の（２）参照）、台間装置１０は、プリペイド残額のみが関連付けられたカードを発行する（同図の（３）参照）。すなわち、台間装置１０は、計数部が計数中の持ち玉（遊技客が獲得した遊技媒体）については、遊技台が特賞中であれば、カードへの関連付けを行わない。
【００２８】
このようにすることで、遊技台の特賞中にカード発行操作が行われた場合であっても、遊技客が獲得した持ち玉価値が複数のカードに分割されることを防止することができる。したがって、遊技客にとってみれば、自己が獲得した持ち玉価値が１枚のカードに集約されるので、遊技客にシンプルなカード運用を行わせることができる。
【００２９】
図１を用いて説明した本発明に係るカード発行手法について、図２を用いてさらに詳細に説明する。図２は、本発明に係るカード発行手法の概要その２を示す図である。なお、図２の（Ａ）には、説明の前提条件を、同図の（Ｂ）には、従来技術に係るカード発行手法を用いた場合の発行カードを、同図の（Ｃ）には、本発明に係るカード発行手法を用いた場合の発行カードを、それぞれ示している。
【００３０】
図２の（Ａ）に示したように、遊技台の特賞中に遊技客によるカード発行操作が行われたと仮定し、カード発行操作時のプリペイド価値（プリペイド残額）が８０００円であり、持ち玉価値（計数部による計数結果）が５０玉であったとする。なお、遊技客が遊技開始してから遊技終了するまでに獲得したトータルの持ち玉価値は、５０５０玉まで増加したものとする。
【００３１】
この場合、図２の（Ｂ）に示したように、従来技術に係るカード発行手法では、特賞中に発行されたカードには、８０００円のプリペイド価値と、５０玉の持ち玉価値とが関連付けられていた。一方、遊技終了時に発行されたカードには、残りの持ち玉価値として５０００玉の持ち玉価値が関連づけられていた。
【００３２】
このように、従来技術に係るカード発行手法では、遊技客が獲得した持ち玉に対応する持ち玉価値が、２枚のカードに分割されていた。このため、景品交換で景品交換の対象とならない端玉がそれぞれのカードに価値付けられる機会が増え、遊技客にとって不利益が生じていた。
【００３３】
そこで、本発明に係るカード発行手法では、遊技台が特賞中である場合には、持ち玉価値をカードへ関連付けないこととした。これにより、同図の（Ｃ）に示したように、本発明に係るカード発行手法では、特賞中に発行されたカードには、８０００円のプリペイド価値のみが関連付けられる。一方、遊技終了時に発行されたカードには、遊技客が遊技開始してから遊技終了するまでに獲得したトータルの持ち玉価値である５０５０玉が関連付けられる。
【００３４】
このようにすることで、持ち玉価値が複数のカードへ分割されることがないので、上記した端玉の問題を解決することができるとともに、遊技客にとってのカード取扱いを単純化することができる。
【００３５】
たとえば、遊技客は、プリペイド価値のみが価値付けられたカードを精算機で精算することで、プリペイド残額を現金化することができる。また、持ち玉価値のみが価値付けられたカードを用いて他の遊技台で再遊技したり、持ち玉価値のみが価値付けられたカードを景品交換カウンタへ持ち込んで景品交換したりすることができる。
【００３６】
以下では、図１および図２を用いて説明したカード発行手法を適用した台間装置１０についての実施例を詳細に説明する。
【実施例】
【００３７】
図３は、本実施例に係る台間装置１０が接続されるネットワーク環境を示す図である。同図に示すように、遊技台１００ごとに設けられる台間装置１０は、ＬＡＮ（Local  Area  Network）などのネットワーク経由で、管理装置２００、島コントローラ３００、精算機４００、景品管理機５００およびカード処理機６００等の機器と接続されている。
【００３８】
なお、島コントローラ３００は、台間装置１０および遊技台１００が設置される遊技島ごとに設けられる中継装置であり、管理装置２００／台間装置１０間、あるいは、管理装置２００／遊技台１００間の通信データを中継する。
【００３９】
ここで、台間装置１０がカードを発行した場合、カードを発行された遊技客は、カードを精算機４００へ挿入することで、プリペイド価値（プリペイド残額）に応じた貨幣を受け取る。また、遊技客は、景品交換コーナーへカードを持参し、カード処理機６００にカードをかざしたり挿入したりして、景品管理機５００や景品払出機７００を遊技店の従業員が操作することで、持ち玉価値に応じた景品を受け取ることになる。
【００４０】
なお、同図に示すように、管理装置２００は、カード（記録媒体）に関連付けられる価値を管理する記録媒体管理ＤＢ（データベース）２０１を有している。そして、記録媒体管理ＤＢ２０１は、プリペイド価値を管理するプリペイドカードＤＢ（データベース）２０１ａと、遊技客が獲得した遊技媒体を換金したり景品交換したりすることなく遊技店へ預けておくことを指す貯玉を管理する貯玉ＤＢ（データベース）２０１ｂと、遊技店が獲得した持ち玉価値を管理する持玉ＤＢ（データベース）２０１ｃとから構成される。
【００４１】
たとえば、台間装置１０が発行するカードに価値付けられる持ち玉価値やプリペイド価値は、管理装置２００が管理するプリペイドカードＤＢ２０１ａや、持玉ＤＢ２０１ｃによっても管理されている。
【００４２】
次に、本実施例に係る台間装置１０の構成について図４を用いて説明する。図４は、台間装置１０の構成を示すブロック図である。なお、同図には、台間装置１０の特徴を説明するために必要な構成要素のみを示しており、一般的な構成要素についての記載を省略している。
【００４３】
同図に示すように、台間装置１０は、操作部１１と、カード保持部１２と、遊技台Ｉ／Ｆ（インターフェース）１３と、計数部１４と、制御部１５と、記憶部１６とを備えている。
【００４４】
また、制御部１５は、カード発行指示部１５ａと、持ち玉価値関連付部１５ｂと、関連付禁止部１５ｃと、プリペイド価値更新部１５ｄと、遊技中判定部１５ｅとをさらに備えている。そして、記憶部１６は、持ち玉情報１６ａを記憶する。
【００４５】
操作部１１は、台間装置１０に対する操作を受け付けるデバイスである。この操作部１１は、たとえば、カード発行ボタンに相当する「返却ボタン」を有しており、カードの発行を要求する遊技客によって返却ボタンが押下された場合には、カード発行要求があった旨を示す信号を、制御部１５のカード発行指示部１５ａに対して通知する。
【００４６】
カード保持部１２は、台間装置１０にあらかじめ装填された内蔵カード（一般遊技者用カード）や、遊技店の会員に対して発行される会員カードなどのカードを保持する。ここで、内蔵カード（一般遊技者用カード）は、遊技店の開店前などにカード保持部１２へあらかじめ複数枚装填されており、持ち玉価値やプリペイド価値が関連付けられたうえで発行される。
【００４７】
内蔵カード（一般遊技者用カード）を発行された遊技客は、遊技台を変更して再遊技する場合、発行された内蔵カードを他の台間装置１０のカード保持部１２へ挿入することで、内蔵カード（一般遊技者用カード）に関連付けられた持ち玉価値やプリペイド価値を利用することができる。なお、持ち玉価値やプリペイド価値が使い切られた場合には、かかるカードは、カード保持部１２によってそのまま収容され、あらかじめ装填されたカードと同様の取扱いとなる。
【００４８】
また、カード保持部１２が会員カードを受け付けた場合には、遊技客は、会員カードに関連付けられた持ち玉価値やプリペイド価値を利用することができる。ただし、会員カードは、持ち玉価値やプリペイド価値が使い切られた場合であっても返却される点で内蔵カード（一般遊技者用カード）とは異なる。なお、カード保持部１２は、カードへのデータ書き込みおよびカードからのデータ読み出しを行うカードＲ／Ｗ（リーダ／ライタ）を有しているものとする。
【００４９】
また、カード保持部１２は、たとえば、会員カードが挿入された場合には、かかる会員カードを保持し、遊技客が返却ボタンを押下すると、所定の価値を価値付けたうえで保持していた会員カードを発行する。
【００５０】
遊技台Ｉ／Ｆ（インターフェース）１３は、遊技台とのデータ送受信を行う通信デバイスである。たとえば、この遊技台Ｉ／Ｆ（インターフェース）１３は、遊技台から特賞中である旨をあらわす特賞信号を受信すると、受信した特賞信号を制御部１５の遊技中判定部１５ｅに対して通知する。
【００５１】
計数部１４は、遊技客が獲得した遊技媒体（パチンコ玉）を計数し、計数した計数値を制御部１５の遊技中判定部１５ｅに対して通知する。なお、かかる計数値は、計数値がカウントアップされるたびに遊技中判定部１５ｅに対して通知されるものとする。
【００５２】
ここで、図４に示した台間装置１０の外観構成について図５を用いて説明しておく。図５は、台間装置１０の外観図である。なお、同図には、台間装置１０が併設された遊技台１００を破線で示している。また、同図では、紙幣のみを受け付ける台間装置１０を示しているが、硬貨受け付け用のユニットを備えることとしてもよい。
【００５３】
図５に示すように、台間装置１０は、台間装置１０の装置状態を所定色のランプの点灯あるいは点滅で表示する状態表示部５１と、遊技媒体貸し出しのための各種紙幣を受け付ける紙幣挿入部５２と、遊技店の従業員が携帯するリモコン（携帯端末装置）からの指示を受け付けるリモコン受光部５３と、７セグ表示部およびテンキー、カードの返却ボタンといった操作部を含んだ表示／操作部５４とを備えている。
【００５４】
また、台間装置１０は、持ち玉等の遊技媒体を払い出すノズルを備えた持ち玉払出部５５と、会員カードなどのカードを受け付けるとともに、持ち玉価値やプリペイド価値が関連付けられたカードを発行するカード挿入部５６と、遊技客が獲得した遊技媒体（持ち玉）を計数する計数部５７と、持ち玉（獲得玉）を貯留する玉貯留部５８とを備えている。
【００５５】
また、玉貯留部５８の前面には、持ち玉（獲得玉）の計数結果などを表示する計数表示部５８ａと、持ち玉を用いた遊技を指示するための持ち玉払出ボタンなどの操作ボタン５８ｂとが設けられている。ここで、遊技台１００の下皿１００ｃから落下した遊技媒体は、貯留部５８を経て計数部５７へと導かれることになる。
【００５６】
なお、遊技台１００には、カードの残額や、貸し出された遊技媒体の数などを表示する表示部１００ａと、遊技媒体の貸し出しを指示する貸出ボタンやカード発行（カード返却）を指示する返却ボタンといった操作ボタン１００ｂとが設けられる。
【００５７】
台間装置１０は、同図に示す遊技機１００の下皿１００ｃから落下した持ち玉（獲得玉）を玉貯留部５８でいったん貯留し、貯留した持ち玉（獲得玉）を計数部５７へ導く。そして、計数部５７で持ち玉（獲得玉）の数量を計数する。なお、計数後の遊技媒体は、遊技島内に形成される図示しない遊技媒体回収経路へ排出される。
【００５８】
そして、台間装置１０に持ち玉が記憶された状態で、遊技者が持ち玉払出ボタンを押下した場合には、持ち玉（獲得玉）を持ち玉払出部５５経由で遊技台１００へ投出する。なお、持ち玉払出部５５は、紙幣挿入部５２へ紙幣が挿入されたり、カード挿入部５６へプリペイド価値が関連付けられたカードが挿入されたりして、遊技台１００の貸し出しボタンが押下された場合の払い出しを併せて行う場合もある。
【００５９】
なお、図５には、計数部５７が台間装置１０の下部に設けられている場合について示したが、計数部５７を、台間装置１０や遊技台１００が設置される遊技島の膳板を貫通させた位置（膳板の下方）に設けることとしてもよい。また、計数部５７を台間装置１０とは独立した装置として構成することとしてもよい。
【００６０】
図４の説明に戻り、制御部１５について説明する。制御部１５は、遊技台１００が特賞中である場合には、カードに対する持ち玉価値の関連付けを禁止することで、持ち玉価値が複数のカードへ分割されることを防止する処理を行う処理部である。
【００６１】
カード発行指示部１５ａは、操作部１１からカード発行要求信号を受け取った場合に、カード保持部１２に対してカード発行を指示する処理を行う処理部である。なお、カード発行指示部１５ａは、遊技中判定部１５ｅから遊技台１００が遊技中である旨を通知されている期間にわたって、カード保持部１２に対してカード発行指示を行わないこととしてもよい。
【００６２】
持ち玉価値関連付部１５ｂは、記憶部１６に記憶されている持ち玉情報１６ａを、カード保持部１２に保持されているカードへ関連付ける処理を行う処理部である。ここで、持ち玉価値関連付部１５ｂは、持ち玉価値のカードへの関連付けを関連付禁止部１５ｃから禁止されている場合には、持ち玉価値のカードへの関連付けを行わない。
【００６３】
関連付禁止部１５ｃは、遊技中判定部１５ｅから遊技台１００が遊技中である旨の通知を受けている期間にわたって、持ち玉価値関連付部１５ｂに対して持ち玉価値のカードへの関連付けを禁止する旨の通知を行う処理部である。
【００６４】
プリペイド価値更新部１５ｄは、カード保持部１２に保持されているカードにプリペイド価値が価値付けられている場合に、プリペイド価値を用いた遊技媒体の貸し出しが行われると、プリペイド価値の減算を行う処理部である。
【００６５】
遊技中判定部１５ｅは、遊技台Ｉ／Ｆ１３あるいは計数部１４からの信号に基づいて遊技台１００が遊技中であるか否かを判定するとともに、遊技台１００が遊技中であるか否かを示す信号を関連付禁止部１５ｃに対して通知する処理を行う処理部である。ここで、遊技中判定部１５ｅが行う遊技中判定処理のバリエーションについて図６を用いて説明する。
【００６６】
図６は、遊技中判定処理のバリエーションを示す図である。なお、同図の（Ａ）には、計数部１４からの計数値に基づいて遊技中判定を行う場合について、同図の（Ｂ）には、遊技台Ｉ／Ｆ１３経由で遊技台１００から取得した特賞信号に基づいて遊技中判定を行う場合について、それぞれ示している。
【００６７】
図６の（Ａ）に示したように、計数部１４からは、遊技媒体を計数するたびにあらたに更新された計数値が通知されるものとすると、遊技中判定部１５ｅは、直前の計数（同図の「前の計数」参照）から所定時間以内（同図の「Ｔ」参照）以内に、次の計数（同図の「次の計数」参照）が行われたか否かを判定する。
【００６８】
そして、前の計数から時間Ｔ未満で次の計数が行われた場合には、計数中と判定する（同図の（Ａ−１）参照）。そして、この場合には、遊技中判定部１５ｅは、遊技台１００が遊技中であると判定する。一方、前の計数から時間Ｔが経過しても次の計数が行われなかった場合には、計数完了と判定する（同図の（Ａ−２）参照）。そして、この場合には、遊技中判定部１５ｅは、遊技台１００は遊技中ではないと判定する。
【００６９】
このように、前の計数から所定の時間（Ｔ）以内に次の計数が行われたか否かを判定することで、遊技台１００が特賞中であっても一時的に遊技媒体の払い出しが行われないケースを遊技中と判定することができる。そして、遊技台１００の特賞中状態が完了して計数部１４による計数が停止したケースを遊技完了と判定することができる。
【００７０】
なお、同図の（Ａ）では、計数部１４からの信号に基づいて遊技中判定を行う場合について示したが、遊技台１００が発する特賞信号に基づいて遊技中判定を行うこととしてもよい。
【００７１】
この場合、図６の（Ｂ）に示したように、遊技中判定部１５ｅは、遊技台Ｉ／Ｆ１３経由で遊技台から取得した特賞信号を受け取っている期間を遊技中であると判定する。なお、同図では、遊技台１００の特賞中においては、遊技台１００が継続して特賞信号を発する場合について説明したが、遊技台１００が特賞開始信号および特賞終了信号を発し、遊技中判定部１５ｅは、特賞開始信号受信から特賞終了信号受信までの期間を遊技中と判定することとしてもよい。
【００７２】
また、図６の（Ｂ）では、特賞信号の途絶をもって遊技中状態が完了したと判定する場合について示したが、特賞中の遊技台１００が遊技媒体を排出したのち、計数部１４によって計数されるまでのタイムラグを考慮し、特賞信号が途絶してから所定時間が経過したことをもって遊技中状態が完了したと判定することとしてもよい。
【００７３】
図４の説明に戻り、記憶部１６について説明する。記憶部１６は、不揮発性メモリやハーディスクドライブといった記憶デバイスで構成される記憶部であり、持ち玉情報１６ａを記憶する。
【００７４】
持ち玉情報１６ａは、計数部１４による計数結果であり、計数部１４が遊技媒体を更新するたびにあらたな計数値へと更新される。また、持ち玉情報１６ａは、持ち玉の払い出しが行われた場合には減算され、カード保持部１２によって持ち玉価値を反映したカードが発行された場合には０へクリアされる。
【００７５】
次に、台間装置１０が実行する処理手順について図７を用いて説明する。図７は、台間装置１０が実行する処理手順を示すフローチャートである。同図に示すように、操作部１１が持ち玉あり状態（持ち玉情報１６ａが０ではない状態）でカード発行操作を受け付けると（ステップＳ１０１）、遊技中判定部１５ｅは、遊技台１００が遊技中であるか否かを判定する（ステップＳ１０２）。
【００７６】
そして、遊技台１００が遊技中である場合には（ステップＳ１０２，Ｙｅｓ）、カード保持部１２は、プリペイド残額があるか否かを判定する（ステップＳ１０３）。そして、プリペイド残額がある場合には（ステップＳ１０３，Ｙｅｓ）、カード保持部１２は、プリペイド残額のみをカードへ関連付けたうえで（ステップＳ１０４）、カードを発行し（ステップＳ１０５）、ステップＳ１０２以降の処理を繰り返す。なお、ステップＳ１０３の判定条件を満たさなかった場合にも（ステップＳ１０３，Ｎｏ）、ステップＳ１０２以降の処理を繰り返す。
【００７７】
一方、ステップＳ１０２の判定条件を満たさなかった場合には（ステップＳ１０２，Ｎｏ）、プリペイド残額があるか否かを判定する（ステップＳ１０６）。そして、プリペイド残額があった場合には（ステップＳ１０６，Ｙｅｓ）、カード保持部１２は、プリペイド価値および持ち玉価値をカードへ関連付けたうえで（ステップＳ１０８）、カードを発行し（ステップＳ１０９）、処理を終了する。
【００７８】
一方、ステップＳ１０６の判定条件を満たさなかった場合には（ステップＳ１０６，Ｎｏ）、持ち玉価値をカードへ関連付けたうえで（ステップＳ１０７）、カードを発行し（ステップＳ１０９）、処理を終了する。
【００７９】
なお、図７では、遊技中にカード発行操作を受けた場合には、プリペイド価値のみを関連付けたカードを発行する場合について示したが、遊技中にカード発行操作を受けた場合には、カードの発行自体を禁止することとしてもよい。
【００８０】
この場合、カード発行を指示するためのカード返却ボタン自体を無効化し、カード返却ボタンに内蔵された発光ランプを消灯させるなどしてボタンが無効化されている旨を報知することとしてもよい。なお、遊技台１００の遊技中状態が完了した場合には、カード返却ボタンの機能を回復させることになる。
【００８１】
上述してきたように、本実施例では、計数部が、自装置に対応する遊技台で遊技者が獲得した遊技媒体を計数し、記憶部が、計数部による計数値を持ち玉価値として記憶し、記憶部に記憶された持ち玉価値を記録媒体へ関連付ける持ち玉価値関連付部を備えることとしたうえで、遊技中判定部が、遊技台が遊技中であるか否かを判定し、遊技中判定部によって遊技中であると判定された場合には、関連付禁止部が、持ち玉価値関連付部による記録媒体への持ち玉価値の関連付けを禁止するように台間装置を構成したので、遊技台の特賞中にカード発行操作が行われた場合であっても、持ち玉価値が複数のカードへ分割されることがない。したがって、遊技客にシンプルなカード運用を行わせることができる。
【００８２】
なお、上述した実施例では、計数部を備えた台間装置に対して本発明を適用した場合について説明したが、計数部を台間装置とは独立した計数装置として構成して台間装置および計数装置が相互に通信する場合に、本発明を適用することとしてもよい。
【００８３】
また、上述した実施例では、遊技台が特賞中である場合には、持ち玉価値をカードへ関連付けない場合について示したが、計数部が計数中である場合には、持ち玉価値をカードへ関連付けないこととしてもよい。
【産業上の利用可能性】
【００８４】
以上のように、本発明に係る各台対応装置は、遊技台の特賞中にカード発行操作が行われた場合であっても、遊技客にとってシンプルなカード運用を可能としたい場合に有用であり、特に、各台計数方式およびプリペイドカード方式を併用した遊技店システムへの適用に適している。
【図面の簡単な説明】
【００８５】
【図１】本発明に係るカード発行手法の概要その１を示す図である。
【図２】本発明に係るカード発行手法の概要その２を示す図である。
【図３】本実施例に係る台間装置が接続されるネットワーク環境を示す図である。
【図４】台間装置の構成を示すブロック図である。
【図５】台間装置の外観図である。
【図６】遊技中判定処理のバリエーションを示す図である。
【図７】台間装置が実行する処理手順を示すフローチャートである。
【符号の説明】
【００８６】
１０    台間装置
１１    操作部
１２    カード保持部
１３    遊技台Ｉ／Ｆ
１４    計数部
１５    制御部
１５ａ  カード発行指示部
１５ｂ  持ち玉価値関連付部
１５ｃ  関連付禁止部
１５ｄ  プリペイド価値更新部
１５ｅ  遊技中判定部
１６    記憶部
１６ａ  持ち玉情報
５１    状態表示部
５２    紙幣挿入部
５３    リモコン受光部
５４    表示／操作部
５５    持ち玉払出部
５６    カード挿入部
５７    計数部
５８    玉貯留部
５８ａ  計数表示部
５８ｂ  操作ボタン
１００    遊技台
１００ａ  表示部
１００ｂ  操作ボタン
１００ｃ  下皿
【図１】
2010082359.tif 000003
【図２】
2010082359.tif 000004
【図３】
2010082359.tif 000005
【図４】
2010082359.tif 000006
【図５】
2010082359.tif 000007
【図６】
2010082359.tif 000008
【図７】
2010082359.tif 000009